(57)【要約】【課題】送受信機の部品点数を減らし、さらに共振子以外の回路を集積化して、１つのセラミックパッケージなどへ収納することで非常に小型な送受信機を提供する。【解決手段】送受信部２は、送信、または受信のモードを切替える送受信切替スイッチ３と、複数のＳＡＷ共振子５と、ＳＡＷ共振子を選択するためのＳＡＷ共振子切替スイッチ４ａ〜４ｄと、受信信号を所定のレベルまで増幅する受信増幅器６と、受信信号を中間周波数にダウンコンバートするミキサ７と、ＩＦ帯において不要な周波数を除去するＩＦバンドパスフィルタ８と、ＩＦ信号を所定のレベルまで増幅するＩＦ増幅器９と、受信された変調信号を復調する為の復調部１０と、ＳＡＷ共振子と接続し電圧制御発振器を構成する発振回路１１と、所定の局部発振器レベルに増幅する為の増幅器１２と、増幅された信号を送信、または受信局部発振器に切替えるための発振器出力切替えスイッチ１３と、を備えた。【選択図】図１
2010166283.tif 000002
【特許請求の範囲】
【請求項１】
外部のアンテナへ送信信号を送信する送信モード、及び前記外部のアンテナから受信信
号を受信する受信モードを備えた送受信モジュールであって、
前記受信信号を伝送するアンテナ受信信号ラインと、
前記アンテナ受信信号ラインから入力される前記受信信号を周波数変換して中間周波数
信号を生成するミキサと、
共振周波数が互いに異なる複数のＳＡＷ共振子と、
前記各ＳＡＷ共振子の接続先を切替えるＳＡＷ共振子切替スイッチと、
発振出力信号を発振出力ラインに出力する発振回路と、
前記発振出力ラインの接続先を切替える発振出力切替スイッチと、
前記送信信号を伝送するアンテナ送信信号ラインと、
を有し、
前記送信モードが設定された場合は、
前記ＳＡＷ共振子切替スイッチの切替えにより前記複数のＳＡＷ共振子の何れか一つが
前記発振回路に接続され、
前記発振出力切替スイッチの切替えにより前記発振出力ラインが前記アンテナ送信信号
ラインに接続され、
前記受信モードが設定された場合は、
前記ＳＡＷ共振子切替スイッチの切替えにより、前記複数のＳＡＷ共振子の何れか一つ
が前記アンテナ受信信号ラインに挿入され、他の一つが前記発振回路に接続され、
前記発振出力切替スイッチの切替えにより、前記発振出力ラインが前記ミキサに接続さ
れ、前記ミキサは前記発振出力ラインから入力される前記発振出力信号に基づいて前記受
信信号を周波数変換し前記中間周波数信号を生成する
ことを特徴とする送受信モジュール。
【請求項２】
請求項１に記載の送受信モジュールと、
前記ＳＡＷ共振子切替スイッチ、及び前記発振器出力切替えスイッチを制御する制御部と
、
を備えたことを特徴とする送受信機。
【請求項３】
請求項２に記載の送受信機であって、
前記送受信モジュールは受信電界強度を監視するＲＳＳＩを更に備え、
前記制御部は、前記ＲＳＳＩから入力される受信電界強度の監視信号に基づいて、前記
ＳＡＷ共振子切替スイッチ及び前記発振器出力切替えスイッチを制御することを特徴とす
る送受信機。
【請求項４】
請求項２又は３に記載の送受信機であって、
前記発振回路は電圧制御発振器を構成し、
前記送信モードが設定された場合は、前記電圧制御発振器により送信データの変調信号
を生成することを特徴とする送受信機。
【発明の詳細な説明】
【技術分野】
【０００１】
本発明は、送受信モジュール及び送受信機に関し、さらに詳しくは、妨害波が飛び交う
通信環境下においても、確実に通信を確立することを可能とする送受信機に関するもので
ある。
【背景技術】
【０００２】
近年、携帯電話やＰＨＳ等が急速に普及して移動体通信分野が活発化しており、この技
術的な成果が波及的に、微弱無線を用いた屋内無線データ伝送や識別装置、各種の遠隔測
定や遠隔制御の分野にも影響を及ぼしている。また、高周波を利用する無線機器において
、携帯機器や小型機器に用いるために、バイポーラ・プロセスを用いて、通信機の主要構
成要素を１チップ化したものが提案されている。
一般的に送受信機を構成するには、特許文献１に開示されているように、送信部、受信
部に夫々独立して局部発振器が必要となる。また、実際の送受信機には不要波を除去する
フィルタが必要となり回路規模が大きくなる。更に、送信周波数と受信周波数が固定とな
るため、その周波数で妨害を受けた場合、通信ができなくなるといった問題がある。
【特許文献１】特開平１１−１９６１３９号公報
【発明の開示】
【発明が解決しようとする課題】
【０００３】
特許文献１に開示されている従来技術は、通信機における主要な回路要素を、ＣＭＯＳ
プロセスで１チップ化し、このチップに、更に高い周波数を利用可能にして任意に選択す
る周波数倍加手段や、発振子の温度依存性を補償する温度補償手段を追加搭載したり、チ
ップと発振子とを１パッケージ化しているが、送信部、受信部に夫々独立して局部発振器
が必要なため、チップサイズが大きくなり、コストアップに繋がるといった問題がある。
本発明は、かかる課題に鑑み、送受信機の部品点数を減らし、さらに共振子以外の回路
を集積化して、１つのセラミックパッケージなどへ収納することで非常に小型な送受信機
を提供することを目的とする。
【課題を解決するための手段】
【０００４】
本発明は、上述の課題の少なくとも一部を解決するためになされたものであり、以下の
形態又は適用例として実現することが可能である。
【０００５】
［適用例１］外部のアンテナへ送信信号を送信する送信モード、及び前記外部のアンテ
ナから受信信号を受信する受信モードを備えた送受信モジュールであって、前記受信信号
を伝送するアンテナ受信信号ラインと、前記アンテナ受信信号ラインから入力される前記
受信信号を周波数変換して中間周波数信号を生成するミキサと、共振周波数が互いに異な
る複数のＳＡＷ共振子と、前記各ＳＡＷ共振子の接続先を切替えるＳＡＷ共振子切替スイ
ッチと、発振出力信号を発振出力ラインに出力する発振回路と、前記発振出力ラインの接
続先を切替える発振出力切替スイッチと、前記送信信号を伝送するアンテナ送信信号ライ
ンと、を有し、前記送信モードが設定された場合は、前記ＳＡＷ共振子切替スイッチの切
替えにより前記複数のＳＡＷ共振子の何れか一つが前記発振回路に接続され、前記発振出
力切替スイッチの切替えにより前記発振出力ラインが前記アンテナ送信信号ラインに接続
され、前記受信モードが設定された場合は、前記ＳＡＷ共振子切替スイッチの切替えによ
り、前記複数のＳＡＷ共振子の何れか一つが前記アンテナ受信信号ラインに挿入され、他
の一つが前記発振回路に接続され、前記発振出力切替スイッチの切替えにより、前記発振
出力ラインが前記ミキサに接続され、前記ミキサは前記発振出力ラインから入力される前
記発振出力信号に基づいて前記受信信号を周波数変換し前記中間周波数信号を生成するこ
とを特徴とする。
【０００６】
この構成により、送受信時に各回路を共通に使用可能となり、回路規模を少なくしてチ
ップサイズを小さくでき、送受信機の更なる小型化が可能となった。
また、同じ周波数による妨害を防ぐために、異なる共振周波数を有する複数のＳＡＷ共
振子を備え、何れか一つをＳＡＷフィルタとして使用し、他の一つを局部発振用として使
用する。これにより、同じ周波数による妨害が発生した場合、ＳＡＷ共振子を変更して妨
害を防ぐことを小さな回路規模で実現できる。
【０００７】
［適用例２］適用例１に記載の送受信モジュールと、前記ＳＡＷ共振子切替スイッチ、
及び前記発振器出力切替えスイッチを制御する制御部と、を備えたことを特徴とする。
【０００８】
送受信モジュールのＳＡＷ共振子以外の構成が１つのチップに集積化されている場合、
モジュール内の各スイッチは外部から制御する必要がある。本発明では各スイッチを制御
する制御部をモジュールの外部に備えて送受信機を構成する。これにより、送受信機の構
成を簡略化して装置を小型化することができる。
【０００９】
［適用例３］適用例２に記載の送受信機であって、前記送受信モジュールは受信電界強
度を監視するＲＳＳＩを更に備え、前記制御部は、前記ＲＳＳＩから入力される受信電界
強度の監視信号に基づいて、前記ＳＡＷ共振子切替スイッチ及び前記発振器出力切替えス
イッチを制御することを特徴とする。
【００１０】
ＲＳＳＩ（Received Signal Strength Indication）とは、無線通信機器が受信する信
号の強度を測定するための回路または信号のことである。制御部は、このＲＳＳＩにより
監視して、例えば、妨害波がある場合は周波数設定を変更する。これにより、リアルタイ
ムに妨害波に対して対応することができる。
【００１１】
［適用例４］適用例２又は３に記載の送受信機であって、前記発振回路は電圧制御発振
器を構成し、前記送信モードが設定された場合は、前記電圧制御発振器により送信データ
の変調信号を生成することを特徴とする。
【００１２】
送受信機を送信動作させるためには、送受信モジュール内の各スイッチを切り替える必
要がある。そこで制御部は、ＳＡＷ共振子を発振回路に接続して電圧制御発振器を構成し
、アンテナを送信側に切り替えて送信データにより変調して送信する。これにより、単一
の周波数による単信双方向通信による送信を行うことができる。
【発明を実施するための最良の形態】
【００１３】
以下、本実施形態を詳細に説明する。但し、この実施形態に記載される構成要素、種類
、組み合わせ、形状、その相対配置などは特定的な記載がない限り、この発明の範囲をそ
れのみに限定する主旨ではなく単なる説明例に過ぎない。
図１は本実施形態に係る送受信機の構成を示す図である。この送受信機５０は、大きく
分けて送受信モジュール４０と制御部１５により構成される。送受信モジュール４０は、
所定の信号を送信、または受信するための外部のアンテナ１（送受共用）に接続される。
そして送受信モジュール４０は、送受信部２を備える。送受信部２は、送受信モジュール
を送信モード、または受信モードに切替える送受信切替スイッチ３と、複数のＳＡＷ共振
子（図示例では２つ）を一つの水晶などの圧電基板上に実装したＳＡＷ共振子５と、ＳＡ
Ｗ共振子を選択するためのＳＡＷ共振子切替スイッチ４ａ〜４ｄと、受信信号を所定のレ
ベルまで増幅する受信増幅器６と、受信信号を周波数変換して中間周波数（ＩＦ）にダウ
ンコンバートするミキサ７と、ＩＦ帯において不要な周波数を除去するＩＦバンドパスフ
ィルタ８と、ＩＦ信号を所定のレベルまで増幅するＩＦ増幅器９と、受信された変調信号
を復調する為の復調部１０（ここでは特に変調方式は特定しない）と、ＳＡＷ共振子と接
続し電圧制御発振器を構成する発振回路１１と、発振回路１１からの出力レベルを所定の
送信出力レベル、または受信信号をダウンコンバートするために所定の局部発振器レベル
に増幅する為の増幅器（ゲイン（増幅度）コントロール可能増幅器）１２と、増幅された
信号を送信（ＴＸ）、または受信局部発振器（ＬＯ）に切替えるための発振器出力切替え
スイッチ１３と、受信電界強度を監視する為のＲＳＳＩ（Received Signal Strength Ind
icator）１４と、を備えて構成される。
なお送受切替スイッチ３と受信増幅器との間は、アンテナ受信信号ライン１６、１７ａ
、１７ｂ、１８ａ、１８ｂ、１９によって、ＳＡＷ共振子切替スイッチ４ａ〜４ｄ及びＳ
ＡＷ共振子５ａ、５ｂを介して接続されている。
【００１４】
また、発振回路１１は、ＳＡＷ共振子５を発振させることにより発振出力信号を発振出
力ライン２０に出力する。発振回路１１は、制御部１５からのデータに基づいて変調信号
を生成することが可能である。また制御部１５は送信データ、および各スイッチをコント
ロールする。尚、図示しないが、外部のアンテナを送信用、受信用で２つ用いる構成も考
えられる。この場合、送受切替えスイッチ３は不要となる。
即ち、実施形態では、送受信時に各回路を共通に使用可能とするために、送信、又は受
信のモードを切替える送受信切替スイッチ３と、複数のＳＡＷ共振子を選択的に切り替え
るＳＡＷ共振子切替スイッチ４ａ〜４ｄと、増幅器により増幅された信号を送信、又は受
信局部発振器の何れかにに切替える発振器出力切替えスイッチ１３とを備え、送信モード
と受信モードに対応して夫々のスイッチを切り替えることにより、送信機又は受信機とし
て機能させる。これにより、回路規模を少なくしてチップサイズを小さくすることにより
、送受信機の更なる小型化が可能となった。
【００１５】
本実施形態では、２つのＳＡＷ共振子の一方をＳＡＷフィルタとして使用し、他方を局
部発振用として使用する。即ち、本実施形態では、同じ周波数による妨害を防ぐために、
互いに異なる共振周波数を有する複数のＳＡＷ共振子を備え、一方をＳＡＷフィルタとし
て使用し、他方を局部発振用として使用する。これにより、同じ周波数による妨害が発生
した場合、ＳＡＷ共振子を変更して妨害を防ぐことができる。
また、送受信モジュール４０は１つのチップに集積化されている。従って、モジュール
内の各スイッチは外部から制御する必要がある。本実施形態では各スイッチを制御する制
御部１５をモジュールの外部に備えて送受信機５０を構成する。これにより、送受信機５
０の構成を簡略化して装置を小型化することができる。
また、制御部１５は、ＲＳＳＩが出力する受信信号の電界強度の測定結果である監視信
号を入力する。そして制御部１５は、例えば、監視信号に基づき妨害波があると判定した
場合は使用するＳＡＷ共振子を切り替えて周波数設定を変更する。これにより、リアルタ
イムに妨害波に対して対応することができる。
【００１６】
図２は本実施形態の送受信機による送信動作について説明する図である。一実施例とし
てｆ１で送信する場合について説明する。ここではＳＡＷ共振子５ａをｆ１、ＳＡＷ共振
子５ｂをｆ２として説明する。尚、制御部は図示を省略する。以下、同様とする。
各スイッチは、ＳＡＷ共振子５ａが発振回路１１と接続され電圧制御発振器を構成し、
アンテナ１から送信できるように切替わる。即ち、送信切替えスイッチ３はＴＸ側、ＳＡ
Ｗ共振子切替えスイッチ４ａ、４ｃはｂ側、ＳＡＷ共振子切替えスイッチ４ｂ、４ｄはａ
側、発振器出力切り替えスイッチ１３はＴＸ側に設定される。
前記のように設定された構成により、ＳＡＷ共振子５ａと発振回路１１で電圧制御発振
器を構成し、制御部１５（図示しない）からのデータにより変調波が生成される（ＦＳＫ
の場合、送信デジタル信号である「０」、「１」信号を入力すると、発振回路内の可変容
量ダイオード（図示しない）の容量が変化し、「０」信号に応じた周波数と「１」信号に
応じた周波数の信号を出力する）。
【００１７】
また、発振回路１１から出力された変調信号は、増幅器１２により所定の送信レベルに
増幅され、送信信号として、発振出力切替えスイッチ１３、アンテナ送信信号ライン２１
、送受切替えスイッチ３を経由してアンテナ１から空間に放射される。ここではＳＡＷ共
振子５ｂは使用しない。
即ち、送受信機５０を送信動作させるためには、送受信モジュール４０内の各スイッチ
を切り替える必要がある。そこで制御部１５は、ＳＡＷ共振子５ａを発振回路１１に接続
して電圧制御発振器を構成し、アンテナ１をＴＸ側に切り替えて送信データにより変調し
て送信する。これにより、単一の周波数による単信双方向通信による送信を行うことがで
きる。
【００１８】
図３は本実施形態の送受信機による受信動作について説明する図である。一実施例とし
てｆ１で受信する場合について説明する。ここではＳＡＷ共振子５ａをｆ１、ＳＡＷ共振
子５ｂをｆ２として説明する。
各スイッチは、ＳＡＷ共振子５ａが受信の周波数弁別フィルタ、ＳＡＷ共振子５ｂが発
振回路１１と接続され電圧制御発振器を構成し、受信ローカル発振器となるように切替わ
る。即ち、送信切替えスイッチ３はＲＸ側、ＳＡＷ共振子切替えスイッチ４ａ、４ｃはａ
側、ＳＡＷ共振子切替えスイッチ４ｂ、４ｄはｂ側、発振器出力切り替えスイッチ１３は
ＬＯ側に設定される。
通信相手からｆ１で送信された変調信号は、アンテナ１により捕捉した後、ＳＡＷ共振
子５ａ（バンドパスフィルタ）により不要な信号が除去された後、受信増幅器６にて所定
のレベルに増幅される。増幅された信号は、ミキサ７に入力し、ＳＡＷ共振子５ｂと発振
回路１１からなる電圧制御発振器が出力するローカル信号とミキシングして中間周波数帯
にダウンコンバートされ中間周波数信号として出力される。中間周波数信号は、ＩＦバン
ドパスフィルタ８、およびＩＦ増幅器９を介して、復調部１０に入力され、受信復調信号
である「０」、「１」のデジタル信号として制御部１５に出力する。
【００１９】
ここで、図１０に示す従来構成と比較して考えると、従来構成では常に使用していない
素子が存在することになる。即ち、図１０ではｆ１で受信している場合で、フィルタｆ２
、発振器ｆ１は使用しないことになる。発振器の構成にもよるが、省電力化のために未使
用発振器の電源を制御する場合、スイッチ等回路追加が必要となる。
本実施形態では、最小の部品構成で多彩な動作要求に対応できる。従来の送受信装置で
同様の動作を実現する場合（例では２周波数対応）、一般的には図１０のように発振器が
２つ、フィルタが２つ必要となり、装置の大型化、コストがアップするという問題がある
。（送受信機の小型化、低コスト化に不利）さらに、複数の周波数に対応するためには、
それぞれの周波数に対応した発振器、フィルタが必要となる。発振器を周波数切替が可能
なシンセサイザで構成することも考えられるが、高安定な基準発振器、ＰＬＬ  ＩＣ、制
御信号などが必要となり、２周波対応の場合であっても回路規模が大きくなり、結果装置
の大型化、コストアップとなる。
本実施形態は、上述したような問題を解決するためになされたものであって、送受信機
の部品点数を減らし、さらに共振子以外の回路を集積化し１つのセラミックパッケージな
どへ収納することで非常に小型な送受信機を提供するものである。
【００２０】
図４は周波数ｆ１で送受信（単信双方向通信）する場合の信号の流れを示す図である。
図４（ａ）は送信の場合、図４（ｂ）は受信の場合を示す。ここで信号Ａは共振子が発振
子として動作している場合の信号の流れであり、信号Ｂは共振子がフィルタとして動作し
ている場合の信号の流れを示す。送信の場合は図４（ａ）のように、信号Ａが、ＳＡＷ共
振子切換スイッチ４ａ−ＳＡＷ共振子５ａ−ＳＡＷ共振子切換スイッチ４ｃ−発振回路１
１−増幅器１２−発振器出力切換スイッチ１３−送受切換スイッチ３−アンテナ１のルー
トで流れる。即ち、ＳＡＷ共振子５ａは発振素子（送信用発振器）として使用し、ＳＡＷ
共振子５ｂは使用しない。
受信の場合は図４（ｂ）のように、信号Ａが、ＳＡＷ共振子切換スイッチ４ｂ−ＳＡＷ
共振子５ｂ−ＳＡＷ共振子切換スイッチ４ｄ−発振回路１１−増幅器１２−発振器出力切
換スイッチ１３−ミキサ７のルートで流れる。また、信号Ｂは、アンテナ１−送受切換ス
イッチ３―ＳＡＷ共振子切換スイッチ４ａ−ＳＡＷ共振子５ａ−ＳＡＷ共振子切換スイッ
チ４ｃ−受信増幅器６−ミキサ７−ＩＦバンドパスフィルタ８−ＩＦ増幅器９−復調器１
０のルートで流れる。即ち、ＳＡＷ共振子５ａはフィルタ素子として使用し、ＳＡＷ共振
子５ｂは発振素子（受信ローカル）として使用する。
【００２１】
図５は周波数ｆ２で送受信（単信双方向通信）する場合の信号の流れを示す図である。
図５（ａ）は送信の場合、図５（ｂ）は受信の場合を示す。ここで信号Ａは共振子が発振
子として動作している場合の信号の流れであり、信号Ｂは共振子がフィルタとして動作し
ている場合の信号の流れを示す。
送信の場合は図５（ａ）のように、信号Ａが、ＳＡＷ共振子切換スイッチ４ｂ−ＳＡＷ
共振子５ｂ−ＳＡＷ共振子切換スイッチ４ｄ−発振回路１１−増幅器１２−発振器出力切
換スイッチ１３−送受切換スイッチ３−アンテナ１のルートで流れる。即ち、ＳＡＷ共振
子５ａは使用せず、ＳＡＷ共振子５ｂは発振素子（送信用発振器）として使用する。
受信の場合は図５（ｂ）のように、信号Ａが、ＳＡＷ共振子切換スイッチ４ａ−ＳＡＷ
共振子５ａ−ＳＡＷ共振子切換スイッチ４ｃ−発振回路１１−増幅器１２−発振器出力切
換スイッチ１３−ミキサ７のルートで流れる。また、信号Ｂは、アンテナ１−送受切換ス
イッチ３―ＳＡＷ共振子切換スイッチ４ｂ−ＳＡＷ共振子５ｂ−ＳＡＷ共振子切換スイッ
チ４ｄ−受信増幅器６−ミキサ７−ＩＦバンドパスフィルタ８−ＩＦ増幅器９−復調器１
０のルートで流れる。即ち、ＳＡＷ共振子５ａは発振素子（受信ローカル）として使用し
、ＳＡＷ共振子５ｂはフィルタ素子として使用する。
【００２２】
図６は周波数ｆ１で送信、周波数ｆ２で受信（複信双方向通信）する場合の信号の流れ
を示す図である。図６（ａ）は送信の場合、図６（ｂ）は受信の場合を示す。ここで信号
Ａは共振子が発振子として動作している場合の信号の流れであり、信号Ｂは共振子がフィ
ルタとして動作している場合の信号の流れを示す。
送信の場合は図６（ａ）のように、信号Ａが、ＳＡＷ共振子切換スイッチ４ａ−ＳＡＷ
共振子５ａ−ＳＡＷ共振子切換スイッチ４ｃ−発振回路１１−増幅器１２−発振器出力切
換スイッチ１３−送受切換スイッチ３−アンテナ１のルートで流れる。即ち、ＳＡＷ共振
子５ａは発振素子（送信用発振器）として使用し、ＳＡＷ共振子５ｂは使用しない。
受信の場合は図６（ｂ）のように、信号Ａが、ＳＡＷ共振子切換スイッチ４ａ−ＳＡＷ
共振子５ａ−ＳＡＷ共振子切換スイッチ４ｃ−発振回路１１−増幅器１２−発振器出力切
換スイッチ１３−ミキサ７のルートで流れる。また、信号Ｂは、アンテナ１−送受切換ス
イッチ３―ＳＡＷ共振子切換スイッチ４ｂ−ＳＡＷ共振子５ｂ−ＳＡＷ共振子切換スイッ
チ４ｄ−受信増幅器６−ミキサ７−ＩＦバンドパスフィルタ８−ＩＦ増幅器９−復調器１
０のルートで流れる。即ち、ＳＡＷ共振子５ａは発振素子（受信ローカル）として使用し
、ＳＡＷ共振子５ｂはフィルタ素子として使用する。このときｆIF＝｜ｆ２−ｆ１｜とな
る。
【００２３】
図７は周波数ｆ２で送信、周波数ｆ１で受信（複信双方向通信）する場合の信号の流れ
を示す図である。図７（ａ）は送信の場合、図７（ｂ）は受信の場合を示す。ここで信号
Ａは共振子が発振子として動作している場合の信号の流れであり、信号Ｂは共振子がフィ
ルタとして動作している場合の信号の流れを示す。
送信の場合は図７（ａ）のように、信号Ａが、ＳＡＷ共振子切換スイッチ４ｂ−ＳＡＷ
共振子５ｂ−ＳＡＷ共振子切換スイッチ４ｄ−発振回路１１−増幅器１２−発振器出力切
換スイッチ１３−送受切換スイッチ３−アンテナ１のルートで流れる。即ち、ＳＡＷ共振
子５ａは使用せず、ＳＡＷ共振子５ｂは発振素子（送信用発振器）として使用する。
受信の場合は図７（ｂ）のように、信号Ａが、ＳＡＷ共振子切換スイッチ４ｂ−ＳＡＷ
共振子５ｂ−ＳＡＷ共振子切換スイッチ４ｄ−発振回路１１−増幅器１２−発振器出力切
換スイッチ１３−ミキサ７のルートで流れる。また、信号Ｂは、アンテナ１−送受切換ス
イッチ３―ＳＡＷ共振子切換スイッチ４ａ−ＳＡＷ共振子５ａ−ＳＡＷ共振子切換スイッ
チ４ｃ−受信増幅器６−ミキサ７−ＩＦバンドパスフィルタ８−ＩＦ増幅器９−復調器１
０のルートで流れる。即ち、ＳＡＷ共振子５ａはフィルタ素子として使用し、ＳＡＷ共振
子５ｂは発振素子（受信ローカル）として使用する。このときｆIF＝｜ｆ１−ｆ２｜とな
る。
【００２４】
図８は周波数ｆ１からｆ２に変更して送信する場合の信号の流れを示す図である。図８
（ａ）はｆ１で送信の場合、図８（ｂ）はｆ２で送信の場合を示す。ここで信号Ａは共振
子が発振子として動作している場合の信号の流れであり、信号Ｂは共振子がフィルタとし
て動作している場合の信号の流れを示す。
ｆ１で送信の場合は図８（ａ）のように、信号Ａが、ＳＡＷ共振子切換スイッチ４ａ−
ＳＡＷ共振子５ａ−ＳＡＷ共振子切換スイッチ４ｃ−発振回路１１−増幅器１２−発振器
出力切換スイッチ１３−送受切換スイッチ３−アンテナ１のルートで流れる。即ち、ＳＡ
Ｗ共振子５ａは発振素子（送信用発振器）として使用し、ＳＡＷ共振子５ｂは使用しない
。
ｆ２で送信の場合は図８（ｂ）のように、信号Ａが、ＳＡＷ共振子切換スイッチ４ｂ−
ＳＡＷ共振子５ｂ−ＳＡＷ共振子切換スイッチ４ｄ−発振回路１１−増幅器１２−発振器
出力切換スイッチ１３−送受切換スイッチ３−アンテナ１のルートで流れる。即ち、ＳＡ
Ｗ共振子５ａは使用せず、ＳＡＷ共振子５ｂは発振素子（送信用発振器）として使用する
。
【００２５】
図９は周波数ｆ１からｆ２に変更して受信する場合の信号の流れを示す図である。図９
（ａ）はｆ１で受信の場合、図９（ｂ）はｆ２で受信の場合を示す。ここで信号Ａは共振
子が発振子として動作している場合の信号の流れであり、信号Ｂは共振子がフィルタとし
て動作している場合の信号の流れを示す。
ｆ１で受信の場合は図９（ａ）のように、信号Ａが、ＳＡＷ共振子切換スイッチ４ｂ−
ＳＡＷ共振子５ｂ−ＳＡＷ共振子切換スイッチ４ｄ−発振回路１１−増幅器１２−発振器
出力切換スイッチ１３−ミキサ７のルートで流れる。また、信号Ｂは、アンテナ１−送受
切換スイッチ３―ＳＡＷ共振子切換スイッチ４ａ−ＳＡＷ共振子５ａ−ＳＡＷ共振子切換
スイッチ４ｃ−受信増幅器６−ミキサ７−ＩＦバンドパスフィルタ８−ＩＦ増幅器９−復
調器１０のルートで流れる。即ち、ＳＡＷ共振子５ａはフィルタ素子として使用し、ＳＡ
Ｗ共振子５ｂは発振素子（受信ローカル）として使用する。このときｆIF＝｜ｆ１−ｆ２
｜となる。
ｆ２で受信の場合は図９（ｂ）のように、信号Ａが、ＳＡＷ共振子切換スイッチ４ａ−
ＳＡＷ共振子５ａ−ＳＡＷ共振子切換スイッチ４ｃ−発振回路１１−増幅器１２−発振器
出力切換スイッチ１３−ミキサ７のルートで流れる。また、信号Ｂは、アンテナ１−送受
切換スイッチ３―ＳＡＷ共振子切換スイッチ４ｂ−ＳＡＷ共振子５ｂ−ＳＡＷ共振子切換
スイッチ４ｄ−受信増幅器６−ミキサ７−ＩＦバンドパスフィルタ８−ＩＦ増幅器９−復
調器１０のルートで流れる。即ち、ＳＡＷ共振子５ａは発振素子（受信ローカル）として
使用し、ＳＡＷ共振子５ｂはフィルタ素子として使用する。このときｆIF＝｜ｆ２−ｆ１
｜となる。
【図面の簡単な説明】
【００２６】
【図１】本発明の実施形態に係る送受信機の構成を示す図である。
【図２】本発明の実施形態の送受信機による送信動作について説明する図である。
【図３】本発明の実施形態の送受信機による受信動作について説明する図である。
【図４】周波数ｆ１で送受信（単信双方向通信）する場合の信号の流れを示す図である。
【図５】周波数ｆ２で送受信（単信双方向通信）する場合の信号の流れを示す図である。
【図６】周波数ｆ１で送信、周波数ｆ２で受信（複信双方向通信）する場合の信号の流れを示す図である。
【図７】周波数ｆ２で送信、周波数ｆ１で受信（複信双方向通信）する場合の信号の流れを示す図である。
【図８】周波数ｆ１からｆ２に変更して送信する場合の信号の流れを示す図である。
【図９】周波数ｆ１からｆ２に変更して受信する場合の信号の流れを示す図である。
【図１０】本発明の実施形態に係る送受信機を従来の構成として実現した場合の図である。
【符号の説明】
【００２７】
１  アンテナ、２送受信部、３  送受信切替スイッチ、５  ＳＡＷ共振子、４ａ〜４ｄ  
ＳＡＷ共振子切替スイッチ、６  受信増幅器、７  ミキサ、８  ＩＦバンドパスフィル
タ、９  ＩＦ増幅器、１０  復調部、１１  発振回路、１２  増幅器、１３  発振器出力
切替えスイッチ、１４  ＲＳＳＩ、１５  制御部、４０  送受信モジュール、５０  送受
信機
【図１】
2010166283.tif 000003
【図２】
2010166283.tif 000004
【図３】
2010166283.tif 000005
【図４】
2010166283.tif 000006
【図５】
2010166283.tif 000007
【図６】
2010166283.tif 000008
【図７】
2010166283.tif 000009
【図８】
2010166283.tif 000010
【図９】
2010166283.tif 000011
【図１０】
2010166283.tif 000012